(57)【要約】【課題】コネクタに接続された電子部品がコネクタから外れることを抑制することができる電子装置等を提供する。【解決手段】電子装置は、電子部品が接続されるコネクタと、コネクタに挿入された電子部品の振動を規制する振動規制部と、を備える。【選択図】図３
2020043394.tif 000002
【特許請求の範囲】
【請求項１】
電子部品が接続されるコネクタと、
前記コネクタに挿入された前記電子部品の振動を規制する振動規制部と、
を備える電子装置。
【請求項２】
前記コネクタは、板状の基板部、及び、前記基板部に設けられ接続部を備える電子部品の前記接続部が接続され、
前記振動規制部は、前記コネクタに前記電子部品が接続された際の、前記基板部の少なくとも一方の面側に位置する
請求項１に記載の電子装置。
【請求項３】
前記接続部は、前記基板部の一端側に設けられ、
前記振動規制部は、前記基板部の前記一端側に対する他端側に少なくとも位置する
請求項２に記載の電子装置。
【請求項４】
前記振動規制部は、前記コネクタに接続された際の前記電子部品と離間する位置に配置される
請求項３に記載の電子装置。
【請求項５】
前記コネクタに接続された際の前記電子部品と前記振動規制部との間の離間距離は、前記基板部の厚み以下である
請求項４に記載の電子装置。
【請求項６】
前記コネクタを収容し、前記コネクタ及び前記電子部品の少なくとも一方が挿通される開口部を有する筺体と、
前記電子部品が前記コネクタに接続された際に、前記開口部の外側に露出した前記電子部品の一部を覆うカバーと、を備え、
前記振動規制部は、前記カバーに設けられる
請求項１から請求項５のいずれか１項に記載の電子装置。
【請求項７】
電子部品が接続されるコネクタと、
前記コネクタに挿入された前記電子部品の振動を規制する振動規制部と、
テレビジョン放送を受信する受信部と、
を備えるテレビジョン受信装置。
【発明の詳細な説明】
【技術分野】
【０００１】
本発明は、電子装置及びテレビジョン受信装置等に関する。
【背景技術】
【０００２】
特許文献１には、機器本体の外装面にメモリーカードを着脱自在に装着するスロットを備えた電子装置が記載されている。特許文献１の電子装置では、スロットに挿入されたメモリーカードの一部が外装の外部に突出し、当該メモリーカードの突出部を包囲する保護カバーが外装面に着脱自在に取り付けられている。
【先行技術文献】
【特許文献】
【０００３】
【特許文献１】特開２００２−３４２７１７号公報
【発明の概要】
【発明が解決しようとする課題】
【０００４】
しかしながら、特許文献１に記載の電子装置の構成では、メモリーカードがスロットに挿入された状態、すなわち、電子部品がコネクタに接続された状態で、電子部品は、コネクタとの接続部分以外で支持されていない。このため、電子装置に振動や衝撃が加わると、電子部品が振動し、コネクタから外れる可能性があった。
【０００５】
本発明は、コネクタに接続された電子部品がコネクタから外れることを抑制できる電子装置等を提供することを目的の一つとする。
【課題を解決するための手段】
【０００６】
本発明の一態様に係る電子装置は、電子部品が接続されるコネクタと、前記コネクタに挿入された前記電子部品の振動を規制する振動規制部と、を備える。
【０００７】
本発明の一態様に係る電子装置において、前記コネクタは、板状の基板部、及び、前記基板部に設けられ接続部を備える電子部品の前記接続部が接続され、前記振動規制部は、前記コネクタに前記電子部品が接続された際の、前記基板部の少なくとも一方の面側に位置する。
【０００８】
本発明の一態様に係る電子装置において、前記接続部は、前記基板部の一端側に設けられ、前記振動規制部は、前記基板部の前記一端側に対する他端側に少なくとも位置する。
【０００９】
本発明の一態様に係る電子装置において、前記振動規制部は、前記コネクタに接続された際の前記電子部品と離間する位置に配置される。
【００１０】
本発明の一態様に係る電子装置において、前記コネクタに接続された際の前記電子部品と前記振動規制部との間の離間距離は、前記基板部の厚み以下である。
【００１１】
本発明の一態様に係る電子装置において、前記コネクタを収容し、前記コネクタ及び前記電子部品の少なくとも一方が挿通される開口部を有する筺体と、前記電子部品が前記コネクタに接続された際に、前記開口部の外側に露出した前記電子部品の一部を覆うカバーと、を備え、前記振動規制部は、前記カバーに設けられる。
【００１２】
本発明の一態様に係るテレビジョン受信装置は、電子部品が接続されるコネクタと、前記コネクタに挿入された前記電子部品の振動を規制する振動規制部と、テレビジョン放送を受信する受信部と、を備える。
【図面の簡単な説明】
【００１３】
【図１】第１実施形態におけるテレビジョン受信装置の概略構成の一例を示す図である。
【図２】第１実施形態におけるテレビジョン受信装置の概略構成の一例を示す図である。
【図３】第１実施形態に係るテレビジョン受信装置の要部の概略構成の一例を示す断面図である。
【図４】ＡＣＡＳチップの概略構成の一例を示す斜視図である。
【図５】第２実施形態に係るテレビジョン受信装置の要部の概略構成の一例を示す断面図である。
【図６】第３実施形態におけるテレビジョン受信装置の概略構成の一例を示す図である。
【図７】第３実施形態に係るテレビジョン受信装置の要部の概略構成の一例を示す断面図である。
【図８】第３実施形態に係るカバーの概略構成の一例を示す図である。
【図９】本発明に係るテレビジョン受信装置の変形例を示す断面図である。
【図１０】本発明に係るテレビジョン受信装置の変形例を示す断面図である。
【図１１】本発明に係るテレビジョン受信装置の変形例を示す断面図である。
【発明を実施するための形態】
【００１４】
以下、本発明の一態様に係るテレビジョン受信装置について、図面を参照しつつ説明する。以下の説明では、図中に矢印で示す、前、後、左、右、上、及び下のそれぞれの向きを使用する。図面については、同一又は同等の要素には同一の符号を付し、重複する説明は省略する。なお、本発明は、後述する実施形態の構成に限定されるものではなく、本発明の技術的思想の範囲内、即ち、同一の作用効果を発揮できる構成等の範囲内で変更できる。
【００１５】
［第１実施形態］
図１は、本発明の一実施形態に係るテレビジョン受信装置１を前側から見た際の概略構成を示す斜視図である。図２は、テレビジョン受信装置１を後側から見た際の概略構成を示す斜視図である。
図１に示すように、テレビジョン受信機１は、表示部２と、筐体３と、スタンド４と、処理部５と、を備える。表示部２の周囲及び後側には筐体３が設けられる。表示部２の下側にはスタンド４が設けられる。筐体３の内部には処理部５が設けられる。テレビジョン受信機１は、アンテナ（図示略）を介して受信した放送波（テレビジョン放送）を複合し、複合した情報に基づいて表示部２に映像を表示する。
【００１６】
テレビジョン受信機１は、４Ｋ／８Ｋ放送を視聴するための契約を管理する限定受信システム（CAS：Conditional Access System）に対応している。具体的には、テレビジョン受信装置１は、４Ｋ／８Ｋ放送を視聴するためのＡＣＡＳ（Advanced Conditional Access System）チップ６（図３等参照）が取り付け可能に構成されている。ＡＣＡＳチップ６については後述する。
【００１７】
表示部２は、例えば、液晶パネルとバックライトユニットとを含み、図１に示された前側の表示面２１に画像を表示する。表示部２は横長矩形をなし、表示部２の長辺は左右方向に延び、短辺は上下方向に延びている。なお、表示部２は、図示を省略するが、例えば、液晶パネル及バックライトユニットが取り付けられるバックプレートや、液晶パネルの周囲を囲み液晶パネルを支持するフレーム等を適宜含み構成される。
【００１８】
筐体３は、前側筐体３１と、後側筐体３２と、を備える。表示部２及び処理部５を内部に収容する。なお、図示を省略するが、電源装置や音声出力装置等の各種装置が、適宜、筐体３内に設けられる。
前側筐体３１は、表示部２の前側の一部と、表示部２の上下左右の各側面の前側の一部と、を覆う位置に設けられる。
後側筐体３２は、表示部２の後側を覆う位置に設けられる。図２に示すように、後側筐体３２には、ＡＣＡＳチップ６を取り付けるための取付部１０が設けられている。
【００１９】
図３は、取付部１０及び取付部１０の周囲を含むテレビジョン受信装置１の断面を模式的に示した図である。なお、図３は、前後方向及び左右方向に平行な仮想面での切断面を下方から見た際の断面図を模式的に示す。
処理部５は、筺体３の内部に配置され、図３に示すように、処理基板５１と、コネクタ５２と、を備える。処理部５は、筺体３の内部に配置され、アンテナ（図示略）を介して放送波（テレビジョン放送）を受信する受信処理、符号化された放送波を復号する復号処理、及び、ＣＡＳによる認証処理等の各種処理を実施する。また、処理部５は、復号した情報に基づいて表示部２に映像を表示する表示処理や、テレビジョン受信装置１の各部へ供給する電力の制御を行う電力制御処理を実施してもよい。
【００２０】
処理基板５１は、上記各種処理を実施するための処理回路が設けられる。処理回路は、例えば、受信処理を実施する受信回路、復号処理を実施するデコーダ、及び、認証処理を実施する認証回路等である。また、処理基板５１は、表示処理を実施する表示回路や、電力制御処理を実施する電力制御回路が設けられてもよい。
【００２１】
コネクタ５２は、処理基板５１に設けられるコネクタ本体５２１と、コネクタ本体５２１に設けられ後述するＡＣＡＳチップ６と接続される端子部５２２と、を備える。コネクタ本体５２１は、処理基板５１の左端側で、後部筺体３２の開口部３２１に臨む位置に設けられる。端子部５２２は、コネクタ本体５２１から開口部３２１に向かって左方向に延出する。なお、本実施形態では、端子部５２２の左端は、開口部３２１から筺体３の外部に突出している。これにより、端子部５２２の左端が筺体３の内部に位置する場合と比べて、使用者等によるＡＣＡＳチップ６の取り付け作業を容易とすることができる。
【００２２】
図４は、ＡＣＡＳチップ６を示す斜視図である。
ＡＣＡＳチップ６は、基板部６１と、接続部６２とを備える。
基板部６１は、板状の部材であり、ＡＣＡＳチップ６に固有の識別番号や暗号鍵が格納されるメモリ等の各種回路が設けられた基板である。
ソケット６２は、コネクタ５２と接続される接続部に相当する。ソケット６２は、基板部６１の一端部６１１側に設けられ、当該一端部６１１側に開口する略管状の外形を有する。ソケット６２は、コネクタ５２の端子部５２２が、一端部６１１の側から他端部６１２の側に向かって挿入され、当該端子部５２２に基板部６１が固定される。これによりＡＣＡＳチップ６とコネクタ５２とが電気的に接続される。
【００２３】
以下、図３を参照して取付部１０について説明する。
取付部１０において、後側筐体３２には開口部３２１が設けられ、開口部３２１を覆うカバー７が取り付けられる。
開口部３２１は、後側筺体３２の処理部５の左方に左右方向に開口する。図３に示すように、ＡＣＡＳチップ６は、基板部６１におけるソケット６２が設けられた第１面６１３を前側に、反対側の第２面６１４を後側に向けた状態で、コネクタ５２に取り付けられる。ＡＣＡＳチップ６の右端側の一部を除く他の部分は、開口部３２１から左方に向かって、筺体３の外部に突出している。
【００２４】
カバー７は、本体部７１と、振動規制部７２と、を備え、ＡＣＡＳチップ６を保護する。
本体部７１は、コネクタ５２に接続された状態で筺体３の外部に露出したＡＣＡＳチップ６を内部に収容可能な容器状に形成され、一端側（図中では右側）に開口７１１を有する。本体部７１は、開口部３２１を覆い、かつ、コネクタ５２に接続されたＡＣＡＳチップ６を本体部７１の内に収容した状態で、後部筺体３２にネジ８で固定される。このように、カバー７は、コネクタ５２に接続された状態で筺体３の外部に露出したＡＣＡＳチップ６を覆い、ＡＣＡＳチップ６を保護する。すなわち、カバー７は、ＡＣＡＳチップ６における筺体３の外部に露出した露出部を覆う。
【００２５】
本実施形態では、本体部７１の内面と、ＡＣＡＳチップ６とは離間している。すなわち、左右方向における本体部７１の内寸は、筺体３の外部に露出したＡＣＡＳチップ６の露出部よりも大きい。また、図示を省略するが、上下方向における本体部７１の内寸は、ＡＣＡＳチップ６よりも大きい。
【００２６】
振動規制部７２は、本体部７１の底部７１２から開口７１１に向かって延出する板状の部材である。カバー７が後部筺体３２に取り付けられた状態で、振動規制部７２は、コネクタ５２に接続されたＡＣＡＳチップ６の第２面６１４側に位置する。振動規制部７２の前面７２１は、前後方向に対して略直交し、上下方向及び左右方向に沿うように配置され、第２面６１４と対向し、かつ、離間している。
【００２７】
振動規制部７２は、ＡＣＡＳチップ６の振動を規制する。すなわち、テレビジョン受信装置１に振動や衝撃が加わった場合等に、ＡＣＡＳチップ６は、コネクタ５２側を支点とする振動が生じる可能性がある。例えば、本実施形態では、ＡＣＡＳチップ６に前後方向の振動が生じる可能性があり、当該振動において基板部６１の他端部６１２は、自由端であり、他端部６１２の振幅が最大となる。振動規制部７２は、ＡＣＡＳチップ６の後側に離間して配置されており、ＡＣＡＳチップ６の振動を規制する。これにより、例えば、ＡＣＡＳチップ６が前後方向に許容範囲を超えて振動することが抑制され、当該振動によりＡＣＡＳチップ６がコネクタ５２から脱落するという不具合が生じることを抑制できる。
【００２８】
また、振動規制部７２は、ＡＣＡＳチップ６と離間しているので、テレビジョン受信装置１に振動や衝撃が加わった瞬間に、振動規制部７からＡＣＡＳチップ６に直に負荷が加わることを抑制できる。このため、振動規制部７からＡＣＡＳチップ６に加わる負荷を低減でき、当該負荷によるＡＣＡＳチップ６の脱落や破損等の不具合が生じることを抑制できる。
【００２９】
ここで、振動規制部７２の前面７２１とＡＣＡＳチップ６の第２面６１４との間の距離（離間距離）は、基板部６１の厚み寸法以下であることが好ましい。離間距離をより大きく設定する、例えば、基板部６１の厚み寸法（例えば０．５ｍｍ〜１ｍｍ）程度とすることにより、カバー７を取り付ける際に、振動規制部７２がＡＣＡＳチップ６に接触することを抑制できる。しかしながら、離間距離が大きすぎる場合、例えば、ＡＣＡＳチップ６の振動振幅を超えた値に設定されていると、ＡＣＡＳチップ６の振動抑制の効果を十分に得られない可能性がある。したがって、例えば、離間距離を基板部６１の厚み寸法以下とすることにより、ＡＣＡＳチップ６の振動抑制の効果を得ることができる。
【００３０】
なお、振動規制部７２の前面７２１とＡＣＡＳチップ６の第２面６１４との間の離間距離は、ＡＣＡＳチップ６の振動振幅の許容範囲よりも小さいことが好ましい。これにより、ＡＣＡＳチップ６が許容範囲を超えて振動し、例えば、ＡＣＡＳチップ６がコネクタ５２から脱落することを抑制できる。なお、ＡＣＡＳチップ６の振動振幅の許容範囲の最大値は、ＡＣＡＳチップ６及びコネクタ５２の形状及び剛性や、接続強度等の種々の条件に応じて変化し、シミュレーション等に応じて算出できる。
【００３１】
本実施形態では、図３に示すように、前面７２１は、後方から見た平面視にて、基板部６１のうち振動の振幅が最大となる他端部６１２の少なくとも一部と重なっている。このため、上記離間距離は、他端部６１２の振動の振幅が許容範囲となるように設定されている。したがって、上記平面視にて、振動規制部７の前面７２１が他端部６１２と重なっておらず、例えば、左右方向における中心位置よりも一端部６１１側の領域のみと重なっている場合と比べて、離間距離を大きくすることができるので、カバー７の取付け時等に、ＡＣＡＳチップ６と振動規制部７とが無用に接触することを抑制できる。
【００３２】
なお、図３の左右方向及び前後方向に直交する上下方向において、振動規制部７２の前面７２１の寸法は、ＡＣＡＳチップ６の基板部６１の寸法よりも大きいことが好ましい。すなわち、後方から見た平面視にて、前面７２１は、基板部６１の上下それぞれの端部と重なっていることが好ましい。このような構成では、上述の前後方向の振動と同様に、ＡＣＡＳチップ６にコネクタ５２との接続部分を通り、左右方向に平行な仮想軸の周りの回動方向のＡＣＡＳチップ６の振動を規制するとともに、ＡＣＡＳチップ６と振動規制部７とが無用に接触することを抑制できる。
【００３３】
［第２実施形態］
第２実施形態について説明する。
図５は、第２実施形態に係るテレビジョン受信装置１Ａにおける取付部１０の周囲の断面を模式的に示した図である。
第１実施形態では、カバー７は、一つの振動規制部７２が設けられていたが、第２実施形態のカバー７Ａでは、第１振動規制部７２に加え、第２振動規制部７３が設けられている。それ以外の構成については、第１実施形態と同様に構成される。
【００３４】
第２振動規制部７３は、第１振動規制部７２の前方に対向して設けられる板状部材である。第２振動規制部７３は、左右方向の寸法が第１振動規制部７２よりも小さいこと以外は、第１振動規制部７２と略同様の外形を有する。第２振動規制部７３は、カバー７Ａが取り付けられた状態で、コネクタ５２に接続されたＡＣＡＳチップ６の第１面６１３側に位置し、ＡＣＡＳチップ６側の後面７３１が当該第１面６１３と離間している。
【００３５】
第２振動規制部７３によって、第１振動規制部７２と同様に、ＡＣＡＳチップ６の振動を規制することにより、当該振動によりＡＣＡＳチップ６が脱落したり、破損したりすることを抑制できる。
また、カバー７Ａを取り付けた際の、第２振動規制部７３の底面部７１２とは反対側の先端部７３２と、ソケット６２との間の距離を、コネクタ５２の端子部５２２のソケット６２への挿入量よりも小さくする。これにより、振動等によりＡＣＡＳチップ６がコネクタ５２から離れる方向に移動したとしても、ＡＣＡＳチップ６の左右方向の移動量を挿入量以下とすることができ、ＡＣＡＳチップ６の脱落をより確実に抑制できる。
【００３６】
［第３実施形態］
第３実施形態について説明する。
図６は、第３実施形態に係るテレビジョン受信装置１Ｂの一例を示す斜視図である。図７は、テレビジョン受信装置１Ｂの取付部１０の一例を模式的に示す断面図である。
テレビジョン受信装置１Ｂは、さらに、Ｂ−ＣＡＳ方式の限定受信システムにも対応し、取付部１０においてＢ−ＣＡＳカード９を挿入可能に構成されている。具体的には、処理部５の基板５１には、Ｂ−ＣＡＳカード９に記録された情報を読み取る読取ユニット５３が設けられる。読取ユニット５３は、Ｂ−ＣＡＳカード９が挿入される挿入部５３１が、後部筺体３２の開口部３２１に臨むように配置される。読取ユニット５３は、コネクタ５２に対して開口部３２１とは反対側、すなわち、コネクタ５２の右方に配置される。読取ユニット５３の挿入部５３１は、コネクタ５２の後方に位置し、これによりコネクタ５２と干渉することなくＢ−ＣＡＳカード９を挿入できる。
【００３７】
図８は、第３実施形態におけるカバー７Ｂを左側から見た図である。なお、図８では、カバー７Ｂのみを図示し、他の構成の図示を省略している。
カバー７Ｂは、ＡＣＡＳカード６を内部に収容する本体部７４と、ＡＣＡＳカード６の振動を規制する第１規制部７５と、Ｂ−ＣＡＳカード９の振動を規制する第３振動規制部７６と、を備える。
【００３８】
本体部７４は、コネクタ５２に接続された状態で筺体３の外部に露出したＡＣＡＳチップ６が収容される収容部７４１と、左右方向に沿ってＢ−ＣＡＳカード９が挿入される挿入口７４２と、筺体３に当接した状態でネジ８により固定される固定部７４３と、を備える。収容部７４１は、カバー７Ｂが筺体３に取り付けられた状態で、挿入口７４２の前方に位置する。挿入口７４２は、左右方向に貫通する貫通孔であり、右方向に向かうにしたがって、上下方向及び前後方向の寸法が小さくなるように傾斜した内面を有する。なお、挿入口７４２の内面の右端側には、Ｂ−ＣＡＳカード９を読取部５３の挿入部５３１に導くガイド７４４が設けられる。
【００３９】
第１振動規制部７５は、図７に示すように、収容部７４１と挿入口７４２とを隔てる隔壁の一部であり、コネクタ５２に接続されたＡＣＡＳチップ６の振動を規制する規制面７５１を有する。規制面７５１は、コネクタ５２に接続されたＡＣＡＳチップ６の第２面６１４と略平行、かつ離間している。規制面７５１は、第２面６１４の少なくとも一部に対向し、図示例では第２面６１４のうち一端部６１１側の一部を除く略全面に対向している。
【００４０】
第３振動規制部７６は、図７に示すように、挿入口７４２の前側の内面から、前後方向に沿って後方に向かって、すなわちＢ−ＣＡＳカード９の挿入位置に向かって突出するように設けられる。図８に示す例では、第３規制部７６は、挿入口７４２の前側に位置する内面に複数設けられる。第３規制部７６は、左右方向に延在する板状の部材であり、左右方向よりも上下方向の寸法が小さい。複数の第３規制部７６は、上下方向に離間して配置されている。
【００４１】
第３振動規制部７６の先端部７６１は、図７に示すように、挿入されたＢ−ＣＡＳカード９と離間している。このため、テレビジョン受信装置１Ｂに振動や衝撃が加わった瞬間に、第３振動規制部７６からＢ−ＣＡＳカード９に直に大きな負荷が加わることを抑制できる。
【００４２】
第３振動規制部７６とＢ−ＣＡＳカード９との離間距離は、Ｂ−ＣＡＳカード９の振動振幅の許容範囲よりも小さいことが好ましい。これにより、Ｂ−ＣＡＳカード９が許容範囲を超えて振動し、例えば、Ｂ−ＣＡＳカード９が脱落することを抑制できる。
【００４３】
ここで、Ｂ−ＣＡＳカード９の振動振幅は、左右方向において読取ユニット５３から離れるほど大きくなる。したがって、第３振動規制部７６は、Ｂ−ＣＡＳカード９と最も近接する先端部７６１が、Ｂ−ＣＡＳカード９の振動振幅がより大きくなる挿入口７４２のより左端側を含むよう設けられることが好ましい。このような構成では、挿入口７４２のより右端側に先端部７６１が設けられている場合と比べて、Ｂ−ＣＡＳカード９と第３振動規制部７６との離間距離をより大きくすることができ、Ｂ−ＣＡＳカード９と第３振動規制部７６とが無用に接触することを抑制できる。
【００４４】
［変形例］
本発明に係る電子装置等は、上述の各実施形態に限定されず、本発明の技術的思想の範囲内において、各種の変形や、各実施例の全部及び一部を組み合わせる等の変更によって得られる構成は本発明に含まれるものである。
【００４５】
図９は、テレビジョン受信装置の一変形例における取付部の断面を模式的に示した図である。
上記各実施形態では、ＡＣＡＳチップ６が筺体３の外部に突出している構成を例示したが、これに限定されない。図９に示す例では、取付部は、筺体３（図示省略）の内部に設けられ、ＡＣＡＳチップ６が筺体３の内部に配置されている。また、振動規制部１１は、処理部５の基板５１に設けられ、基板部６１の第１面６１３側に位置する。振動規制部１１は、例えば、立方体状等の略柱体形状である。なお、振動規制部１１は、上下方向の厚み寸法が、左右方向及び前後方向よりも小さい板状の部材でもよく、板状の振動規制部１１の複数が、上下方向に互いに離間して配置されてもよい。
【００４６】
また、図１０は、テレビジョン受信装置の他の変形例における取付部の断面を模式的に示した図である。図１０に示す振動規制部１２は、基板５１に設けられ、基板５１から突出し、先端に向かって細くなる略錐体形状である。
このように、上記第１実施形態では板状の振動規制部を例示したが、振動規制部の形状は、板状に限定されず、各種の柱体形状や錐体形状でもよく、これら各種の形状を組み合わせた形状でもよい。なお、振動規制部１１，１２は、例えば、筺体３に設けられ、基板部６１の第２面６１４側に位置してもよい。
【００４７】
図１１は、第３実施形態に係るテレビジョン受信装置の変形例を模式的に示す図である。上記第３実施形態では、基板部６１の第２面６１４に略平行となるように形成された規制面７５１が、第２面６１４の略全面に対向していたが、これに限定されない。例えば、図１１に示す例では、規制面７５１は、振幅が最大となる基板部６１の他端部６１２側に、第２面６１４に対して傾斜するように形成されていてもよい。
【００４８】
上記各実施形態において、振動規制部が、電子部品であるＡＣＡＳチップ６との離間距離は、ＡＣＡＳチップ６の基板部６１の厚み以下であることが好ましいとしたが、これに限定されない。離間距離は、基板部６１の厚みよりも大きくてもよい。
【００４９】
また、上記実施形態において、振動規制部が、電子部品であるＡＣＡＳチップ６に対して離間して配置される場合について例示したが、これに限定されない。例えば、振動規制部が、ＡＣＡＳチップ６と接触していてもよい。このような構成では、ＡＣＡＳチップ６の振動をより確実に抑制することができる。なお、第３振動規制部についても同様である。
【００５０】
上記各実施形態において、電子部品としてＡＣＡＳチップ６を例示したが、これに限定されない。例えば、制御基板やメモリーカード等の各種の電子部品をコネクタに取り付ける取付部について本発明を好適に適用できる。
【００５１】
上記各実施形態において、テレビジョン受信装置について例示したが、これに限定さない、例えば、表示部を備えないテレビジョン受信装置としてのチューナや、受信部を備えない電子装置についても本発明を適用できる。また、受信部を備えるテレビジョン受信装置以外にも、例えば、電子部品が接続されるコネクタを備えるＰＣ等の各種の電子装置についても本発明を好適に適用できる。
【符号の説明】
【００５２】
１，１Ａ，１Ｂ  テレビジョン受信装置、２  表示部、３  筺体、４  スタンド、５  処理部、６  ＡＣＡＳチップ、７，７Ａ，７Ｂ  カバー、８  ネジ、９  Ｂ−ＣＡＳカード、１０  取付部、３１  前側筺体、３２  後側筺体、５１  基板、５２  コネクタ、５３  読取ユニット、６１  基板部、６２  ソケット、７１  本体部、７２  振動規制部（第１振動規制部）、７３  第２振動規制部、７４  本体部、７５  第１振動規制部、７６  第３振動規制部、３２１  開口部、５２１  コネクタ本体、５２２  端子部、５３１  挿入部、６１１  一端部、６１２  他端部、６１３  第１面、６１４  第２面、７１１  開口、７１２  底部、７２１  前面、７３１  後面、７３２  先端部、７４１  収容部、７４２  挿入口、７４３  固定部、７４４  ガイド、７５１  規制面
【図１】
2020043394.tif 000003
【図２】
2020043394.tif 000004
【図３】
2020043394.tif 000005
【図４】
2020043394.tif 000006
【図５】
2020043394.tif 000007
【図６】
2020043394.tif 000008
【図７】
2020043394.tif 000009
【図８】
2020043394.tif 000010
【図９】
2020043394.tif 000011
【図１０】
2020043394.tif 000012
【図１１】
2020043394.tif 000013